【事件の表示】
　特許第２６９２８３０号「蓄積画情報の頁順序変換方式」の請求項１に係る特許に対する特許異議の申立てについて、次のとおり決定する。
【結　論】
訂正を認める。
特許第２６９２８３０号の請求項１に係る特許を維持する。
【理　由】
I【手続きの経緯】
　特許第２６９２８３０号に係る発明は、昭和６３年２月３日に特許出願され、平成９年９月５日にその特許の設定登録がなされ、その後、異議申立人相原光政より特許異議の申立てがなされ、取消理由通知がなされ、その指定期間内である平成１１年２月１日に訂正請求がなされた後、訂正拒絶理由が通知され、訂正拒絶理由に対して平成１１年１２月１３日付け手続補正書が提出されたものである。
II【訂正の適否についての判断】
ア．訂正請求に対する補正の適否について
　上記手続補正書による補正は、訂正明細書につて、その特許請求の範囲を減縮すると共に、発明の詳細な説明をこれと整合を図るために明瞭化するものであるから、当該訂正請求に対する補正は、訂正請求書の要旨を変更するものではなく、特許法第１２０条の４第３項において準用する同法第１３１第２項の規定に適合する。
イ．訂正の内容
　特許権者が求めている訂正の内容は、以下のａ〜ｄのとおりである。
ａ．特許請求の範囲の請求項１の記載を次のとおりに訂正する。
「画情報を頁毎に、かつ、所定容量のファイル単位毎に分割し該ファイルを連続して蓄積するメモリと、
　該メモリ内に蓄積された画情報のメモリ上のアドレスをファイル単位毎に管理する画情報アドレス管理テーブルと、
　該画情報アドレス管理テーブルに管理されている各頁の先頭ファイルに対応するアドレスを管理すると共に、当該各頁の画情報モードを管理する頁アドレス管理テーブルとを備え、
　画情報の出力時には、頁アドレス管理テーブルにおける最終頁の画情報モードを読み出すと共に、当該最終頁のアドレスを識別し、該アドレスに基づいて画情報アドレス管理テーブルに管理されているメモリ上のアドレスに対応する画情報をメモリ内からファイル毎に順次該メモリ上のアドレスに基づいて読み出した後、該頁に対する前頁へと繰り返し画情報モードと共にメモリ内の画情報を頁順序を逆にして読み出すことを特徴とする蓄積画情報の頁順序変換方式。」
ｂ．特許明細書第４頁第７行〜第５頁第２行の「本発明は、・・・・ものである。」を「本発明は、上記目的を達成するために、画情報を頁毎に、かつ、所定容量のファイル単位毎に分割し該ファイルを連続して蓄積するメモリと、
　該メモリ内に蓄積された画情報のメモリ上のアドレスをファイル単位毎に管理する画情報アドレス管理テーブルと、
　該画情報アドレス管理テーブルに管理されている各頁の先頭ファイルに対応するアドレスを管理すると共に、当該各頁の画情報モードを管理する頁アドレス管理テーブルとを備え、
　画情報の出力時には、頁アドレス管理テーブルにおける最終頁の画情報モードを読み出すと共に、当該最終頁のアドレスを識別し、該アドレスに基づいて画情報アドレス管理テーブルに管理されているメモリ上のアドレスに対応する画情報をメモリ内からファイル毎に順次該メモリ上のアドレスに基づいて読み出した後、該頁に対する前頁へと繰り返し画情報モードと共にメモリ内の画情報を頁順序を逆にして読み出すことを特徴とするものである。」と訂正する。
ｃ．特許明細書第１１頁第１５行の「チェックする。いま」を「チェックする（ステップＰ４）。いま」と訂正する。
ｄ．特許明細書第１１頁第２０行〜第１２頁第８行の「繰り返す。・・・・判断して」を「繰り返す。つまり、ポインタ０は、読出専用テーブルにセットするデータの読出開始ポイントを示すポインタとして機能し、また、ポインタ１はポインタ２との一致を見るために読出専用テーブルの先頭アドレスをセットするポインタとして機能する。更に、ポインタ２は、読出専用テーブルから読出開始ポイントを示すためのポインタとして機能する。したがって、読出専用テーブルには、第４図に示すように、頁１から頁３までの画情報モードとテーブルアドレスがセットされ、頁１の画情報モードのアドレスにポインタ１がセットされ、頁３のテーブルアドレスにポインタ２がセットされる。なお、ステップＰ４で４ｂｙｔｅ目がＯＦＦＨであると、頁３までの読出専用テーブルの作成が終了したことになり、最終ページであると判断して」と訂正する。
ウ．訂正の目的の適否、新規事項の有無及び拡張・変更の存否
　上記訂正事項ａは、特許明細書の特許請求の範囲の請求項１を限定するものであるから、特許請求の範囲の減縮に該当する。また、上記訂正事項ｂは、上記特許請求の範囲の訂正に伴い、これと整合を図るためのものであり、明りょうでない記載の釈明に該当する。また上記訂正事項ｃは、誤記の訂正に該当する。さらに上記訂正事項ｄは、不明瞭な記載の釈明に該当する。
　そして、上記訂正事項ａ、ｂは、特許明細書の【発明の詳細な説明】の欄の実施例および第３図〜第５図の記載、例えば、「これら各頁の画情報アドレス管理テーブルの格納されているアドレスを示すテーブルアドレスは第３図ｃに示すモードテーブル（頁アドレステーブル）に記載されており、モードテーブルには、他に画情報の各頁毎に線密度、紙幅等の画情報のモードを示す画情報モードおよび次頁の画情報モードの格納されているアドレスを示すモードアドレスが格納されている。」（特許公報第２頁右欄第４０行〜第４７行）、「第４図の頁３の画情報モードのアドレス位置となっており、これから３ｂｙｔｅ減算すると、頁２の画情報モードとなる。したがって、以降、ステップＰ６からステップＰ７およびＰ８を繰り返すことにより画像メモリ１５より順次最終頁（頁３）から画情報モードとともに画情報を読み出すことができる。」（特許公報第３頁右欄第３５行〜第４０行）などの記載に基づいており、また訂正事項ｃ、ｄも、上記実施例および第３図〜第５図に記載されている事項の範囲内のものであるから、上記訂正事項ａ〜ｄは、新規事項の追加に該当せず、また実質上特許請求の範囲を拡張し、又は変更するものでもない。
エ．独立特許要件の判断
《引用刊行物》
　補正後の訂正明細書の請求項１に係る発明（以下、「本件発明」という。）は、その訂正明細書の請求項１に記載のとおりの頁順序変換方式であるところ、当審が訂正拒絶理由通知で引用した刊行物１（特開昭５７−２０８４１号公報）には、「メモリ制御回路」（発明の名称）に関して、図面と共に、次のとおりの記載がある。
１．「メモリの全領域を小ブロックに等分割し、各ブロック（以下ページと呼ぶ）を１枚の原稿に対して連鎖制御して、ダイナミックな管理を行う。すなわち、１枚の原稿に対して複数のページを使用し、それらの順番を管理して、その順番どおりにメモリに入出力する。」（公報第２頁右上欄第５行〜１０第行）
２．「第５図は、第２図の制御部内のメモリ・テーブルおよび番号レジスタの説明図である。
　制御部（ＣＰＵ）１５内には２Ｋバイトのプログラム・メモリと２５６バイトのデータ・メモリが具備されており、制御部１５は、メモリを管理するために、６４ページに対応するページ情報テーブルと、１６ドキュメント分のドキュメント管理テーブルと、空ページ番号レジスタと空き管理番号レジスタを使用している。
　制御部１５は、入出力ポート１１〜１４のアドレス・カウンタが１巡する期間内に、次に使用するページ・アドレスをページ情報テーブルから捜索する。
　先ず、データ入力の場合には、第５図（ａ）に示すドキュメント管理テーブルの若い番号から使用中か未使用かをフラグでチェックし、未使用なものがあれば、その番号を割りつける。次に、第５図（ｂ）に示すページ情報テーブルの若い番号から使用中か未使用かをフラグでチェックし、未使用なものがあれば、そのページ番号をドキュメント管理テーブルの先頭ページ番号欄に記録する。
そして、次の空ページ番号を捜し出し、そのページ番号を前のページ情報テーブルの後続ページ番号欄に記録していき、特定ページ分だけページの連鎖を行う。特定ページ分は、１原稿が占める平均使用ページ数である。第５図の例では、３枚の原稿４１Ｈ、４５Ｈ、４ＣＨにそれぞれ０１Ｈ，０６Ｈ，３ＣＨのページ番号が割り付けられ、それぞれ（１）（２）（３）の矢印のようにページの連鎖が行われている。
　ページの連鎖が終了すると、データの入力を開始し、連鎖通りにページを使用していく。データの入力が完了したとき、使用した最後のページに最終ページ・コード（ＦＦＨ）を記録して完了とし、使用しなかったページのフラグは解除する。また、特定ページを越える場合には、ページの連鎖を拡張するように制御する。
　一方、データ出力の場合には、受け取ったドキュメント番号の値に対応するドキュメント番号をドキュメント管理テーブルから捜し出し、フラグをチェックする。フラグが“１”になっている場合は、ドキュメントがあり、“０”になっている場合は、ドキュメントがないことである。したがって、ドキュメントがある場合、先頭ページ番号欄より先頭ページ番号を取り出し、順次ページを連鎖通りに更新していく。最終ページ・コード（ＦＦＨ）を検出した時点で更新を打ち切る。」（公報第４頁左上欄第２行〜左下欄第８行）
３．「以上説明したように、本発明によれば、メモリ領域を複数ブロックに分割して、複数の入出力ポートでランダムにブロックをアクセスし、各ブロックを順次連鎖するので、画情報を符号化した不定長なデータを入出力する場合、あるいはメモリに対するデータの入出力時間が前後した場合にも、データを連続して入出力でき、メモリの使用効率を向上させることができる。」（公報第４頁左下欄第１８行〜同頁右下欄第５行）
　また同じく引用した刊行物２（特開昭６２−１８６６５９号公報）には、「フアクシミリ送信機」（発明の名称）に関し、図面と共に、次のとおりの記載がある。
１．「上記目的を達成する為に、本発明に係るファクシミリ送信機は原稿の内容を一担書き込む蓄積装置と、第１頁（最初の頁）、第２頁、・・・第ｎ頁（最終の頁）の順に原稿を管理する手段と、第ｎ頁、第ｎ−１頁、・・・第１頁の順に原稿を管理する手段とを具備して構成される。
　これらの管理手段は頁毎に「次頁の蓄積装置内格納番地」と「前頁の蓄積装置内格納番地」を収納したテーブルであり、原稿を読取って蓄積装置へ格納した時に作成される。
　このテーブルは送信時に蓄積装置から頁単位の読み出しに使用され、第１頁、第２頁、・・・第ｎ頁の順に送信する場合にはこのテーブルの「次頁の蓄積装置内格納番地」が参照され、又第ｎ頁、・・・第２頁、第１頁の順に送信する場合はこのテーブルの「前頁の蓄積装置内格納番地」が参照される。
　・・・（中略）・・・
　第１図において、原稿１ａの内容はファクシミリ送信機１ｂの内部に設けられた蓄積装置１ｆに一担書き込まれ、その後第ｎ頁、・・・第１頁の順に蓄積装置１ｆから読み出され、回線１ｃを通してファクシミリ受信機１ｄに送られ、１ｅの様に第１頁が最後に出力される。
　第３図は本発明における原稿送信時のフローチャートを示す。原稿の送信を指定された原稿の送信順序に従って送信する事を示している。この場合、第４図に示す管理テーブルが参照される。
　発明の効果
　以上説明したように、本発明によれば、受信側の原稿の出力のされ方に合わせて原稿の送信順序を変えることにより、受信側で人手により受信原稿を並べ換える手間を省く効果が得られる。」（第１頁右下欄第１９行〜第２頁右上欄第１５行）
《対比・判断》
１）刊行物１には、メモリの全領域を小ブロックに等分割し、各ブロック（以下ページと呼ぶ）を１枚の原稿に対して連鎖制御して、ダイナミックな管理を行うことが、すなわち１枚の原稿に対して複数のページを使用し、それらの順番を管理して、その順番どおりにメモリに入出力することによってメモリ全体の使用効率を向上することが記載されており（刊行物１の上記１．３．の記載参照）、またそのメモリの連鎖制御は、第５図（ｂ）に示すページ情報テーブルの若い番号から未使用のものをフラグでチェックし、未使用のものがあれば、そのページ番号をドキュメント管理テーブルの先頭ページ番号欄に記録し、そして、次の空ページ番号を捜し出し、そのページ番号を前のページ情報テーブルの後続ページ番号欄に記録していき、特定ページ分だけページの連鎖を行い、ページの連鎖が終了すると、データの入力を開始し、連鎖通りにページを使用していくこと、一方、データ出力の場合には、受け取ったドキュメント番号の値に対応するドキュメント番号をドキュメント管理テーブルから捜し出し、ドキュメントがある場合、先頭ページ番号欄より先頭ページ番号を取り出し、順次ページを連鎖通りに更新していくことが記載されている（刊行物１の上記２．の記載参照）。
　それらに記載の「１枚の原稿」、「ページ」、「ドキュメント管理テーブル」および「ページ情報テーブル」は、それぞれ本件発明の「頁」、「ファイル」、「頁アドレス管理テーブル」および「画情報管理テーブル」に対応するものといえ、刊行物１には、本件発明でいう“画情報を頁毎に、かつ、所定容量のファイル単位毎に分割し該ファイルを連続して蓄積するメモリと、該メモリ内に蓄積された画情報をファイル単位毎に管理する画情報アドレス管理テーブルと、該画情報アドレス管理テーブルに管理されている各頁の先頭ファイルを管理する頁アドレス管理テーブルとを備え、画情報の出力時には、頁アドレス管理テーブル　のアドレスに基づいて画情報アドレス管理テーブルに管理されているアドレスに対応する画情報をメモリ内からファイル毎に順次読み出す”ことが示されているといえ、それらの点では、刊行物１に記載のものと、本件発明とは類似しているといえる。
２）また、刊行物２には、原稿１ａの内容を頁毎に「次頁の蓄積装置内格納番地」と「前頁の蓄積装置内格納番地」を収納した管理テーブルを使用して、第１頁（最初の頁）から順に蓄積装置１ｆに書き込み、その後、第ｎ頁（最終頁）、第ｎ−１頁、・・・第１頁と頁順序を逆にして蓄積装置１ｆから読み出し、頁順序を逆にすることが記載されており（刊行物２の上記１．の記載参照）、そこには本件発明でいう「画情報を頁毎」に「蓄積するメモリ」と「管理テーブル」とを備え、「画情報の出力時には」、「最終頁」の「メモリ上のアドレスに基づいて画情報をメモリ内から、該頁に対する前頁へと繰り返しメモリ内の画情報を頁順序を逆にして読み出すこと」が開示されているといえ、その点では、本件発明と類似しているといえる。
３）しかしながら、上記各刊行物のいずれにも、本件発明の「当該各頁の画情報モードを管理する頁アドレス管理テーブル」を備え、画情報の出力時には、「頁アドレス管理テーブルにおける最終頁の画情報モードを読み出す」と共に、当該最終頁のアドレスを識別し、「該頁に対する前頁へと繰り返し「画情報モードと共にメモリ内の画情報を頁順序逆にして読み出す」点の構成について記載がなく、示唆もない。
　そして、この点の構成により本件発明は、線密度等の画情報モードも併せて頁毎に蓄積管理することができ、頁毎にモードの異なる画情報であってもそのモードに合わせた形でその画情報を記録出力するなど処理することができる等の顕著な効果を奏するものといえ（異議意見書第３頁第７行〜第１７行の記載参照）、本件発明は、上記各刊行物に記載の発明から当業者が容易に発明をすることができたものとはいえない。
　したがって、本件発明は、特許出願の際独立して特許を受けることができるものである。
オ．むすび
　以上のとおりであるから、上記訂正は、特許法第１２０条の４第２項及び同条第３項で準用する第１２６条第２−４項の規定に適合するので、当該訂正を認める。
III【特許異議の申立てについての判断】
ア．申立ての理由の概要
　異議申立人相原光政は、請求項１に係る発明は、甲第１号証（特開昭６２−１８６６５９号公報）、甲第２号証（特開昭５７−２０８４１号公報）及び甲第３号証（特開昭６０−１２７８７１号公報）をもとに容易に発明をすることができたものであるから、特許法第２９条第２項に規定する発明に該当し、したがって請求項１に係る発明の特許は特許法第１１３条第２項に該当するので取り消されるべき旨主張している。
イ．判断
　本件発明は、上記IIのエで示したように、訂正拒絶理由通知で示した刊行物１（上記甲第２号証）及び刊行物２（上記甲第１号証）に記載された発明から容易に発明をすることができたものとすることはできず、また上記甲第３号証には、ファクシミリの受信側において、画情報を頁毎に連続して蓄積するメモリを有し、各頁に対応するアドレスを管理することにより、画情報の出力時には、該アドレスに基づいてメモリ内の画情報を頁順序を逆にして読み出すことは開示されているといえるが、そこにも本件発明の《対比・判断》の上記３）で摘示した点の構成が記載も示唆もなく、訂正拒絶理由通知で引用した刊行物１、２の記載内容と組み合わせても本件発明が容易に想到し得たものとはいえない。
ウ．以上のとおりであるから、特許異議申立ての理由及び証拠によっては、本件請求項１に係る発明の特許を取り消すことはできない。
　また、他に本件請求項１に係る発明の特許を取り消すべき理由を発見しない。
　よって、結論のとおり決定する。
【異議決定日】
平成１２年１月２７日（２０００．１．２７）
【訂正の要旨】
　　　　訂正の要旨
　　▲１▼　訂正事項ａ
　特許請求の範囲の請求項１中の「該画情報アドレス管理テーブルに……読み出すこと」を特許請求の範囲の減縮を目的として、「該画情報アドレス管理テーブルに管理されている各頁の先頭ファイルに対応するアドレスを管理すると共に、当該各頁の画情報モードを管理する頁アドレス管理テーブルとを備え、画情報の出力時には、頁アドレス管理テーブルにおける最終頁の画情報モードを読み出すと共に、当該最終頁のアドレスを識別し、該アドレスに基づいて画情報アドレス管理テーブルに管理されているメモリ上のアドレスに対応する画情報をメモリ内からファイル毎に順次該メモリ上のアドレスに基づいて読み出した後、該頁に対する前頁へと繰り返し画情報モードと共にメモリ内の画情報を頁順序を逆にして読み出すこと」と訂正する。
　　▲２▼　訂正事項ｂ
　明細書第４頁第７行目から同第５頁第２行目の「本発明は……ものである。」を、不明瞭な記載の釈明を目的として、「本発明は、上記目的を達成するため、画情報を頁毎に、かつ、所定容量のファイル単位毎に分割し該ファイルを連続して蓄積するメモリと、該メモリ内に蓄積された画情報のメモリ上のアドレスをファイル単位毎に管理する画情報アドレス管理テーブルと、該画情報アドレス管理テーブルに管理されている各頁の先頭ファイルに対応するアドレスを管理すると共に、当該各頁の画情報モードを管理する頁アドレス管理テーブルとを備え、画情報の出力時には、頁アドレス管理テーブルにおける最終頁の画情報モードを読み出すと共に、当該最終頁のアドレスを識別し、該アドレスに基づいて画情報アドレス管理テーブルに管理されているメモリ上のアドレスに対応する画情報をメモリ内からファイル毎に順次該メモリ上のアドレスに基づいて読み出した後、該頁に対する前頁へと繰り返し画情報モードと共にメモリ内の画情報を頁順序を逆にして読み出すことを特徴とするものである。」と訂正する。
　　▲３▼　訂正事項ｃ
　明細書第１１頁第１５行目の「チェックする。いま」を、誤記又は誤訳の訂正を目的として、「チェックする（ステップＰ４）。いま」と訂正する。
　　▲４▼　訂正事項ｄ
　明細書第１１頁第２０行目から同第１２頁第８行目の「繰り返す。……判断して」を、不明瞭な記載の釈明を目的として、「繰り返す。
　つまり、ポインタ０は、読出専用テーブルにセットするデータの読出開始ポイントを示すポインタとして機能し、また、ポインタ１はポインタ２との一致を見るために読出専用テーブルの先頭アドレスをセットするポインタとして機能する。更に、ポインタ２は、読出専用テーブルから読出開始ポイントを示すためのポインタとして機能する。したがって、読出専用テーブルには、第４図に示すように、頁１から頁３までの画情報モードとテーブルアドレスがセットされ、頁１の画情報モードのアドレスにポインタ１がセットされ、頁３のテーブルアドレスにポインタ２がセットされる。なお、ステップＰ４で４ｂｙｔｅ目がＯＦＦＨであると、頁３までの読出専用テーブルの作成が終了したことになり、最終ページであると判断して」と訂正する。
（５４）【発明の名称】
　蓄積画情報の頁順序変換方式
（５７）【特許請求の範囲】
　画情報を頁毎に、かつ、所定容量のファイル単位毎に分割し該ファイルを連続して蓄積するメモリと、
　該メモリ内に蓄積された画情報の
メモリ上の
　該画情報アドレス管理テーブルに管理されている各頁の先頭ファイルに対応するアドレスを管理する
と共に、当該各頁の画情報モードを管理する
　画情報の出力時には、頁アドレス管理テーブルにおける最終頁の
画情報モードを読み出すと共に、当該最終頁の
メモリ上の
該メモリ上のアドレスに基づいて
画情報モードと共に
【発明の詳細な説明】
（産業上の利用分野）
　本発明は、蓄積画情報の頁順序変換方式に関し、詳細には、メモリに蓄積した複数頁の画情報の出力順序を入れ換える蓄積画情報の頁順序変換方式に関する。
（従来の技術）
　一般に、画情報を蓄積するメモリを備えた画像処理装置、例えば、ファクシミリ装置や複写機等においては、受信したり、原稿から読み取った画情報をその順序にメモリに蓄積し、蓄積した順序に読み出して送信したり、記録紙に記録している。
　例えば、ファクシミリ装置においては、送信側のファクシミリ装置は、原稿を１頁から順次に読み取り、読み取った頁順に画情報を送信する。受信側のファクシミリ装置は、受信した画情報を受信した順序、すなわち頁順にメモリに蓄積し、蓄積した順序にメモリから読み出してプロッタで記録紙に記録する。
（発明が解決しようとする課題）
　しかしながら、従来のように、メモリに蓄積した画情報を、単に、蓄積順に読み出して送信したり、記録すると、画情報を記録した記録紙を記録面を上にして順次記録順に積み重ねると、頁順序が逆になり、記録紙の整理、分類上不便であった。
　すなわち、上記従来例において、受信側ファクシミリ装置が頁順に画情報を受信してメモリに蓄積し、メモリから蓄積順に読み出してプロッタで記録する。この場合、記録状態を確認しやすくするために、記録紙を記録面を上にして積み重ねると、下から頁順に記録紙が積み重ねられ、記録面から見ると、頁順序が逆順序になる。したがって、記録紙を頁順に入れ換えなければならず、作業能率が悪いという問題があった。
（発明の目的）
　そこで、本発明は、メモリ内の画情報を頁毎にアドレス管理するとともに、読出時、読出専用のテーブルを作成し、該読出専用テーブルに従って画情報を頁順序を入れかえて読み出すことにより、画情報を記録した記録紙をその記録面を上にして積み重ねた際に、上から先頭頁順に積み重なるようにして、記録紙の分類、整理に際し、記録紙の頁順序を入れかえる手間を省いて、作業効率を向上させることを目的としている。
（発明の構成）
　本発明は、上記目的を達成するため、画情報を頁毎に、かつ、所定容量のファイル単位毎に分割し該ファイルを連続して蓄積するメモリと、該メモリ内に蓄積された画情報の
メモリ上の
と共に、当該各頁の画情報モードを管理する
画情報モードを読み出すと共に、当該最終頁の
メモリ上の
該メモリ上のアドレスに基づいて
画情報モードと共に
　以下、本発明の実施例に基づいて具体的に説明する。
　第１図〜第５図は本発明の一実施例を示す図であり、ファクシミリ装置に適用したものである。
　第１図において、１はファクシミリ装置であり、ファクシミリ装置１はその本体２にカセット３、原稿トレイ４、コピートレイ５が取付けられるとともに、本体２の上部に原稿台６と操作部７が設けられている。カセット３内には単票の記録紙８が収納され、一枚づつ送り出されて記録された後、コピートレイ５上に記録面を上にして排出される。原稿台６にセットされた原稿９は１枚づつスキャナ１０に送られ、スキャナ１０で画情報が読み取られた後、原稿トレイ４に排出される。操作部７は、テンキー７ａ、その他コマンドを入力する操作キー７ｂ（例えば、ストップキー、コピーキー、スタートキー等）および入力コマンドやファクシミリ装置１からオペレータへ伝達する情報を表示する表示部７ｃ等を備えている。
　ファクシミリ装置１は、第２図に示すように、ＣＰＵ（Ｃｅｎｔｒａｌ　Ｐｒｏｃｅｓｓｉｎｇ　Ｕｎｉｔ）１１、ＲＯＭ（Ｒｅａｄ　Ｏｎｌｙ　Ｍｅｍｏｒｙ）１２、ＲＡＭ（Ｒａｎｄｏｍ　Ａｃｃｅｓｓ　Ｍｅｍｏｒｙ）１３、キャラクタ・ジェネレータ１４、画像メモリ１５、符号化・復号化部１６、通信制御部１７、モデム１８、網制御部１９、スキャナ２０およびプロッタ２１等を備えており、スキャナ２０には原稿センサ２２が、またプロッタ２１には用紙センサ２３が設けられている。
　ＲＯＭ１２にはファクシミリ装置１としての制御プログラムが書き込まれるとともに、本発明の頁順序変換処理プログラム書き込まれており、ＲＡＭ１３にはワークエリアが形成される。ＣＰＵ１１はＲＯＭ１２のプログラムに従って外部データをＲＡＭ１３に取り込んだり、ＲＡＭ１３との間でデータの授受を行ったりしながらファクシミリ装置１の各部を制御してファクシミリ装置１としてのシーケンスを実行するとともに、本発明の頁順序変換処理を実行する。特に、ＲＡＭ１３には第３図ａ〜ｄおよび第４図に示す各種テーブルが形成され、画像メモリ１５に蓄積される画情報のファイル管理を行う。
　すなわち、画像メモリ１５には、受信した画情報やスキャナ１０で読み取った画情報が符号化・復号化部１６で符号化された後に蓄積されるが、画像メモリ１５には、第３図ａに示すように、画情報が頁毎にかつ、所定容量のファイル単位で蓄積されるようになっており、画情報の大きさが頁毎に異なってもその大きさに併せて蓄積することができるようになっている。そして、画像メモリ１５内にはその各頁の画情報のアドレスを管理する画情報アドレス管理テーブルが第３図ｂに示すようなテーブルとして形成される。この画情報アドレス管理テーブルには各頁毎で、かつ、ファイル単位毎に画情報の先頭アドレスが格納されており、最終ファイルにはＯＦＦＨ（図３中にはＦＦと図示）を付すことにより後に該頁に対応するファイルがないことを識別可能にしている。これら各頁の画情報アドレス管理テーブルの格納されているアドレスを示すテーブルアドレスは第３図ｃに示すモードテーブル（頁アドレス管理テーブル）に記載されており、モードテーブルには、他に画情報の各頁毎に線密度、紙幅等の画情報のモードを示す画情報モードおよび次頁の画情報モードの格納されているアドレスを示すモードアドレスが格納されている。本実施例では、このモードテーブルはテーブルアドレスが１ｂｙｔｅ、画情報モードが２ｂｙｔｅ、モードアドレスが１ｂｙｔｅの計４ｂｙｔｅで構成されている。このモードテーブルの頁１の画情報モードの格納されているアドレスは、第３図ｄに示すファイル管理テーブルに格納されており、ファイル管理テーブルには、他に画情報名やマルチコピーであるか等の画情報の種類や部数等の情報が格納されている。したがって、画像メモリ１５に蓄積される画情報はＲＡＭ１３のファイル管理テーブル、モードテーブルおよび画情報アドレス管理テーブルにより各画情報について頁毎にファイル管理されている。
　また、ＲＡＭ１３には、画像メモリ１５からの画情報の読み出し時、第４図に示す読出専用テーブルが作成される。この読出専用テーブルはモードテーブルの各頁の画情報モードとテーブルアドレスを頁順に並べたものであり、１頁当たり３ｂｙｔｅで構成されている。この読出専用テーブルについては後でさらに詳述する。
　再び、第２図において、キャラクタ・ジェネレータ１４は所定のキャラクタコードに基づいて、キャラクタデータをイメージデータに変換し、また、イメージデータをキャラクタデータに変換する。
　画像メモリ１５は受信した画情報やスキャナ１０で読み取った画情報を蓄積し、この画情報は上述のようにファイル管理される。
　符号化・復号化部１６は画情報をいわゆるＭＨ方式あるいはＭＲ方式等により圧縮（符号化）し、また符号化情報を原情報に復号化する。
　通信制御部１７は相手ファクシミリ装置との通信手順を制御し、また網制御部１９の作動を制御する。
　モデム１８は送信画情報文を変調し、また、受信画情報を復調する。
　スキャナ２０は，例えば、ＣＣＤ（Ｃｈａｒｇｅ　Ｃｏｕｐｌｅｄ　Ｄｅｖｉｃｅ）を利用したラインイメージセンサが用いられ、原稿台６にセットされた原稿９の画情報を読み取って出力する。
　プロッタ２１は、例えばサマール素子を備えたサマール記録装置が用いられ、記録紙８に画情報を記録する。
　次に、作用を説明する。
　本発明は画像メモリ１５に蓄積した複数頁分の画情報を蓄積順序と逆順序に出力するところにその特徴がある。
　いま、画像メモリ１５に３頁分の画情報が頁順に入力されて蓄積されているものとする。この画情報は送信側ファクシミリ装置から頁順に送信されてきたものであってもよく、また、ファクシミリ装置１のコピーモードにおいて原稿台６にセットされた原稿９を頁順に読み取ったものであってもよい。
　画像メモリ１５に蓄積した３頁分の画情報を３部記録する場合について、画像メモリ１５からの画情報の出力処理を第５図に示すフローチャートに基づいて説明する。
　オペレータが操作部７より記録モードに設定し、部数として“３”を入力すると、ＣＰＵ１１はＲＡＭ１３に前記読出専用テーブルを作成する。すなわち、ＣＰＵ１１は記録する画情報のファイル管理テーブル（第３図ｄ）を検索し、該ファイル管理テーブルから頁１のモードアドレスを読み出す。この頁１のモードアドレスをポインタ０にセットし（ステップＰ
１
（ステップＰ４）
　
つまり、ポインタ０は、読出専用テーブルにセットするデータの読出開始ポイントを示すポインタとして機能し、また、ポインタ１はポインタ２との一致を見るために読出専用テーブルの先頭アドレスをセットするポインタとして機能する。更に、ポインタ２は、読出専用テーブルから読出開始ポイントを示すためのポインタとして機能する。
なお、
ページ
　なお、ステップＰ７でポインタ２がポインタ１と一致すると、１頁目の画情報を出力が完了したと判断して部数のカウントを１だけディクリメントし（ステップＰ９）、カウンタのカウント値が０となるまで、ステップＰ１に戻って同様の処理を実行する（ステップＰ１０）。すなわち、操作部７でセットした部数だけ、同様な処理で最終頁から先頭頁の順で出力して記録する。
　なお、上記実施例においては、ファクシミリ装置１に適用した場合について述べたが、これに限るものではなく、例えば、複写機、スキャナ等頁単位で画像処理する機器一般に適用することができる。
（効果）
　本発明によれば、画情報を頁毎に、かつ、所定容量のファイル単位毎に分割して蓄積するので、頁毎に大きさの異なる画情報であってもその大きさに合わせた形でその画情報をメモリ内に蓄積することができ、メモリを効率的に利用することができる。
　そして、メモリ内の画情報を頁毎に管理するとともにファイル単位で連続して管理するので、画情報を最終頁から順次読み出すことができ、読み出した画情報を記録した記録紙を記録面を上にして載置しても、上から頁順に重ねることができる。
　その結果、記録紙の分類、整理に当たって、記録紙を頁順に入れ換える手間を省くことができ、作業効率を向上させることができる。
【図面の簡単な説明】
　第１図〜第５図は本発明の蓄積画情報の頁順序変換方式の一実施例を示す図であり、第１図はその蓄積画情報の頁順序変換方式を適用したファクシミリ装置の斜視図、第２図はそのファクシミリ装置の回路ブロック図、第３図ａ〜ｄはそれぞれその画情報メモリ内の画情報を管理する各種テーブルのフォーマット、第４図はその読出専用テーブルのフォーマット、第５図はその頁順序変換処理を示すフローチャートである。
　　１……ファクシミリ装置、
　　５……コピートレイ、
　　７……操作部、
　　１１……ＣＰＵ、
　　１２……ＲＯＭ、
　　１３……ＲＡＭ、
　　１５……画像メモリ、
　　２１……プロッタ。